(57)【要約】【課題】改修後のルーフドレンの縮径を実質的に防止することができ、かつ防水層の端面からその上下面への雨水の侵入を確実に防止することができる改修用ドレン管とこれを用いたルーフドレン改修方法を提供する。【解決手段】中空円筒形の直管部１２と中空円板形の鍔部１４とを有し、一体成型、熱溶着又は接着により一体化されており、かつ全体が温風加熱により軟化かつ膨張可能な熱膨張樹脂からなる改修用ドレン管１０。直管部１２を温風加熱により軟化かつ膨張させ、直管部外面１２ａをドレン孔９の内面及び排水管２の内面に接着し、鍔部１４の外周部を躯体１表面の防水層３に熱溶着又は接着により接合する。【選択図】図６
2014133981.tif 000002
【特許請求の範囲】
【請求項１】
建物屋上の躯体内に埋設され排水管の上部に位置するドレン金物と、ドレン金物を通して排水管まで雨水を流すドレン孔とを有する既設ルーフドレンを改修するための改修用ドレン管であって、
外径が排水管の内径より小さく、屋上上面から排水管の内部まで達する長さを有する中空円筒形の直管部と、
直管部の一端に連結され、直管部に直交する面内で半径方向外方に延び、既設ルーフドレン全体を覆う中空円板形の鍔部と、を備え、
前記直管部と鍔部は、一体成型、熱溶着又は接着により一体化されており、かつ全体が温風加熱により軟化かつ膨張可能な熱膨張樹脂からなる、ことを特徴とする改修用ドレン管。
【請求項２】
前記熱膨張樹脂は、軟質又は硬質のポリ塩化ビニルである、ことを特徴とする請求項１に記載の改修用ドレン管。
【請求項３】
請求項１に記載の改修用ドレン管を用いて既設ルーフドレンを改修するルーフドレン改修方法であって、
（Ａ）既設ルーフドレンの上皿とストレーナを撤去し、
（Ｂ）改修用ドレン管の直管部外面に接着剤を塗布し、
（Ｃ）前記直管部と鍔部下面に対向するドレン孔の内面に接着剤を塗布し、
（Ｄ）鍔部下面が躯体上面に当接するまで、改修用ドレン管の直管部をドレン孔に挿入し、
（Ｅ）直管部を温風加熱により軟化かつ膨張させ、その外面をドレン孔内面及び排水管内面に接着し、
（Ｆ）鍔部の外周部を躯体表面の防水層に熱溶着又は接着剤により接合する、ことを特徴とするルーフドレン改修方法。
【請求項４】
ドレン金物に設けられた雌ねじ部が、排水管の内径より内側に位置する場合に、前記（Ｂ）の前に、内側に位置する雌ねじ部を除去する、ことを特徴とする請求項３に記載のルーフドレン改修方法。
【発明の詳細な説明】
【技術分野】
【０００１】
本発明は、ドレン部分の改修工事に用いる改修用ドレン管とこれを用いたルーフドレン改修方法に関する。
【背景技術】
【０００２】
ルーフドレンとは、建物の屋上等に設けられ、建物内で屋上近傍までに延びる排水管の上端部に屋上等から雨水を導入し排水するものである。
建物の屋上等は防水処理が施されており、その防水性能を維持するためにドレン部分の改修工事が行われる。この改修工事に用いる部材と改修方法は、例えば特許文献１，２に開示されている。
【０００３】
特許文献１は、既設のルーフドレンに嵌められる改修用ドレンであって、覆い管部と覆い鍔部とストレーナ固定用ねじとを備えるものである。
特許文献２は、排水管の内側に嵌められる管部と、管部の基端から半径方向に広がる鍔部とを備える改修用ドレンを用い、これを排水孔部分に被せてから、木槌等でたたいて建物にフィットさせるものである。
【先行技術文献】
【特許文献】
【０００４】
【特許文献１】特開２００３−２２７２０９号公報
【特許文献２】特開２００７−２４７２９５号公報
【発明の概要】
【発明が解決しようとする課題】
【０００５】
図１は、既設ルーフドレンの一例を示す断面図である。
この図において、１は建物屋上の躯体、２は躯体１内に埋設された排水管、３は躯体１の上面に設けられた防水層である。既設ルーフドレン４は、躯体１内に埋設され排水管２の上部に位置するドレン金物５、ドレン金物５に設けられた雌ねじ部５ａと螺合して防水層３を挟持する上皿６、及び上皿６の上に固定されるストレーナ７からなる。
なお、ドレン金物５は排水管２の上端部に固定され、その隙間は溶接又は接着により水密にシールされている。
【０００６】
既設ルーフドレン４を改修する場合、上皿６とストレーナ７を撤去し、下部金物５周囲の防水層３を撤去する。次いで、新たな防水層３（例えば防水シート）を躯体１の上面に設置した後、改修用ドレン８を排水孔部分に被せる。
【０００７】
特許文献１の改修用ドレンを、既設ルーフドレン４に適用した場合、改修用ドレンを既設のルーフドレンに嵌めるため、改修後のルーフドレンの有効径が小さく（細く）なり、排水可能な雨水の流量が激減し、ルーフドレンが詰まりやすくなる問題点があった。
以下、ルーフドレンの有効径が小さく（細く）なることを、「縮径」と呼ぶ。
【０００８】
図２は、図１の既設ルーフドレンに特許文献２の改修用ドレン８を適用した断面図である。
特許文献１の改修用ドレン８は、金属製であり、これを排水孔部分に被せてから、鍔部８ｂを木槌等でたたいて建物にフィットさせて改修するものである。
しかし、特許文献２の改修用ドレン８を適用した場合に以下の問題点があった。
【０００９】
（１）ドレン金物５に設けられた雌ねじ部５ａの内径は、排水管２の内径Ｄよりも小さい。そのため、雌ねじ部５ａの内側を通す改修用ドレン８の管部８ａの内径ｄは必然的に排水管２の内径Ｄよりも小さくなり、改修後のルーフドレンの有効径が縮径されてしまう。
（２）また、仮に雌ねじ部５ａを除去し、管部８ａの内径ｄを可能な範囲で大きく設定した場合でも、管部８ａの外面と排水管２の内面との間に必ず隙間が存在する。そのため、管部８ａに溜まった雨水がこの隙間を通ってドレン金物５の上面まで達し、防水層３の端面からその上下面に侵入し、その間のシール性を悪化させる可能性があった。
【００１０】
本発明は、上述した問題点を解決するために創案されたものである。すなわち、本発明の目的は、改修後のルーフドレンの縮径を実質的に防止することができ、かつ防水層の端面からその上下面への雨水の侵入を確実に防止することができる改修用ドレン管とこれを用いたルーフドレン改修方法を提供することにある。
【課題を解決するための手段】
【００１１】
本発明によれば、建物屋上の躯体内に埋設され排水管の上部に位置するドレン金物と、ドレン金物を通して排水管まで雨水を流すドレン孔とを有する既設ルーフドレンを改修するための改修用ドレン管であって、
外径が排水管の内径より小さく、屋上上面から排水管の内部まで達する長さを有する中空円筒形の直管部と、
直管部の一端に連結され、直管部に直交する面内で半径方向外方に延び、既設ルーフドレン全体を覆う中空円板形の鍔部と、を備え、
前記直管部と鍔部は、一体成型、熱溶着又は接着により一体化されており、かつ全体が温風加熱により軟化かつ膨張可能な熱膨張樹脂からなる、ことを特徴とする改修用ドレン管が提供される。
【００１２】
本発明の実施形態によれば、前記熱膨張樹脂は、軟質又は硬質のポリ塩化ビニルである。
【００１３】
また本発明によれば、上記の改修用ドレン管を用いて既設ルーフドレンを改修するルーフドレン改修方法であって、
（Ａ）既設ルーフドレンの上皿とストレーナを撤去し、
（Ｂ）改修用ドレン管の直管部外面に接着剤を塗布し、
（Ｃ）前記直管部と鍔部下面に対向するドレン孔の内面に接着剤を塗布し、
（Ｄ）鍔部下面が躯体上面に当接するまで、改修用ドレン管の直管部をドレン孔に挿入し、
（Ｅ）直管部を温風加熱により軟化かつ膨張させ、その外面をドレン孔内面及び排水管内面に接着し、
（Ｆ）鍔部の外周部を躯体表面の防水層に熱溶着又は接着剤により接合する、ことを特徴とするルーフドレン改修方法が提供される。
【００１４】
本発明の実施形態によれば、ドレン金物に設けられた雌ねじ部が、排水管の内径より内側に位置する場合に、前記（Ｂ）の前に、内側に位置する雌ねじ部を除去する。
【発明の効果】
【００１５】
上記本発明の改修用ドレン管とこれを用いたルーフドレン改修方法では、改修用ドレン管の直管部と鍔部が、一体成型、熱溶着又は接着により一体化されており、かつ全体が温風加熱により軟化かつ膨張可能な熱膨張樹脂からなるので、直管部を温風加熱により軟化かつ膨張させてその外面をドレン孔内面及び排水管内面に接着することにより、直管部の内径を排水管内面に近い直径まで拡径することができ、改修後のルーフドレンの縮径を実質的に防止することができる。
【００１６】
また、直管部を排水管内面に接着できかつ鍔部の外周部を躯体表面の防水層に接合できるので、直管部の外面と排水管の内面とが接合されてその間の隙間を無くすことができ、防水層の端面からその上下面への雨水の侵入を確実に防止することができる。
【図面の簡単な説明】
【００１７】
【図１】既設ルーフドレンの一例を示す断面図である。
【図２】図１の既設ルーフドレンに特許文献２の改修用ドレンを適用した断面図である。
【図３】本発明による改修用ドレン管の構成図である。
【図４】本発明によるルーフドレン改修方法の全体フロー図である。
【図５】本発明のルーフドレン改修方法の初期状態を示す図である。
【図６】本発明のルーフドレン改修方法の最終状態を示す図である。
【発明を実施するための形態】
【００１８】
以下、本発明の好ましい実施形態を添付図面に基づいて詳細に説明する。なお、各図において共通する部分には同一の符号を付し、重複した説明を省略する。
【００１９】
図３は、本発明による改修用ドレン管１０の構成図である。この図において、（Ａ）は断面図、（Ｂ）は（Ａ）を下方からみた平面図である。
本発明による改修用ドレン管１０は、図１に示したように、建物屋上の躯体１内に埋設され排水管２の上部に位置するドレン金物５と、ドレン金物５を通して排水管２まで雨水を流すドレン孔９（図１参照）とを有する既設ルーフドレン４を改修するために用いる。
【００２０】
改修用ドレン管１０は、直管部１２と鍔部１４とを備える。
【００２１】
直管部１２は中空円筒形であり、その外径が排水管２の内径より小さく、屋上上面から排水管２の内部まで達する長さを有する。
直管部１２の外径は、排水管２の内側に挿入できる限りで、排水管２の内径に近く、その差が０．５〜３ｍｍ以内であるのがよい。また、直管部１２の長さは、排水管２の内面との接合長さが、例えば１０〜５０ｍｍであり、接着によりその間を液密に保持できるように設定する。また、直管部１２の肉厚は、液密に保持できる限りで薄いことが好ましく、例えば１〜３ｍｍであるのがよい。
【００２２】
鍔部１４は中央に円形孔を有する中空円板形であり、円形孔の内縁が直管部１２の一端に連結され、直管部１２に直交する面内で半径方向外方に延び、既設ルーフドレン全体を覆う大きさを有する。この大きさは、既設ルーフドレン全体を覆い、その外周部が躯体１表面の防水層３と所望の幅で重なるように設定する。この幅は、例えば１０〜３０ｍｍであり、熱溶着又は接着により鍔部１４の外周部と躯体１表面の防水層３との間を液密に接合できるように設定する。
【００２３】
また、直管部１２と鍔部１４は、一体成型、熱溶着又は接着剤により一体化されている。直管部１２と鍔部１４の連結部は、この例では直交しているが、既設ルーフドレン４の形状に合わせて連結部を図に破線で示すようにテーパ面に形成してもよい。また連結部を円弧面に形成してもよい。
【００２４】
改修用ドレン管１０の直管部１２と鍔部１４は、全体が温風加熱により軟化かつ膨張可能な熱膨張樹脂からなる。
この熱膨張樹脂は、例えば軟質又は硬質のポリ塩化ビニル（ＰＶＣ）であるのがよい。ポリ塩化ビニルは、例えば６０〜１００℃の温風加熱により軟化させることができ、かつ熱膨張させることができる。熱膨張率は例えば６０〜８０×１０−６／Ｋである。
【００２５】
例えば、排水管２は呼び径７５ｍｍ、概略内径７７ｍｍの塩ビ厚肉管（ＶＰ）であり、直管部１２は呼び径６５ｍｍ、外径７６ｍｍの塩ビ薄肉管（ＶＵ）あるのがよい。この場合、排水管２の内径に対し、直管部１２の外径は直径で１ｍｍ（片側０．５ｍｍ）の隙間があり、排水管２の内側に直管部１２を容易に挿入することができる。
なお、本発明はこの例に限定されず、直管部１２及び鍔部１４を所望の範囲で任意に変更することができる。
【００２６】
図４は、本発明によるルーフドレン改修方法の全体フロー図である。この図において、本発明のルーフドレン改修方法は、Ｓ１〜Ｓ８の各ステップ（工程）からなる。
ステップＳ１では、図１に示した既設ルーフドレン４から上皿６とストレーナ７を撤去する。
ステップＳ２では、ドレン金物５に設けられた雌ねじ部５ａが、排水管２の内径より内側に位置する場合に、内側に位置する雌ねじ部５ａをサンダー等で除去する。
【００２７】
図５は、ステップＳ１とステップＳ２が完了した本発明のルーフドレン改修方法の初期状態を示す図である。この図において、矢印ａは、雌ねじ部５ａをサンダー等で除去した部分を示している。
また、ステップＳ２の前後、又はこれと並行して、必要に応じて、下部金物５周囲の防水層３を撤去し、新たな防水層３（例えば防水シート）を躯体１の上面に設置する。
【００２８】
ステップＳ３では、図５の状態において、改修用ドレン管１０の直管部外面１２ａに接着剤１５を塗布する。
同様にステップＳ４では、図５の状態において、直管部外面１２ａに対向するドレン孔９の内面に接着剤１５（図示せず）を塗布する。
なお、接着剤１５による接続強度と液密性能を確保できる限りでステップＳ３又はＳ４の一方を省略してもよい。
【００２９】
次いで、ステップＳ５では、鍔部下面１４ａ（鍔部１４の直管部側平面）が躯体１上面に当接するまで、改修用ドレン管１０の直管部１２をドレン孔９に挿入する。
次にステップＳ６では、直管部１２をドライヤ等による温風加熱により軟化かつ膨張させ、直管部外面１２ａをドレン孔９の内面及び排水管２の内面に接着する。この際、軟化した直管部１２をドレン孔９の内面及び排水管２の内面に押し付けて、その拡径と接着を助長してもよい。
次いで、ステップＳ７では、鍔部１４の外周部を躯体１表面の防水層３に熱溶着又は接着剤により接合する。
【００３０】
図６は、ステップＳ６、Ｓ７が完了した本発明のルーフドレン改修方法の最終状態を示す図である。この図において、矢印ｂは、ステップＳ６、Ｓ７による接着又は接合して部分を示している。
【００３１】
最後に、ステップＳ８において、新たなストレーナ７を改修用ドレン管１０の上部に設置することで、ルーフドレンの改修が完了する。
【００３２】
上述した本発明の改修用ドレン管１０とこれを用いたルーフドレン改修方法によれば、改修用ドレン管１０の直管部１２と鍔部１４が、一体成型、熱溶着又は接着により一体化されており、かつ全体が温風加熱により軟化かつ膨張可能な熱膨張樹脂からなるので、直管部１２を温風加熱により軟化かつ膨張させて直管部外面１２ａをドレン孔９の内面及び排水管２の内面に接着することにより、直管部１２の内径を排水管２の内面に近い直径まで拡径することができ、改修後のルーフドレンの縮径を実質的に防止することができる。
【００３３】
例えば、上述した例において、排水管２が呼び径７５ｍｍ、概略内径７７ｍｍの塩ビ厚肉管（ＶＰ）であり、直管部１２が呼び径６５ｍｍ、外径７６ｍｍの塩ビ薄肉管（ＶＵ）ある場合、直管部１２を温風加熱により軟化かつ膨張させて直管部外面１２ａを排水管２の内面に接着した場合、直管部１２の肉厚（２．２ｍｍ）が変化しないとして、直管部１２の内径は、７７−２．２×２＝７２．６ｍｍとなる。
従って、改修後の縮径率は、７２．６／７７×１００＝９４．３であり、９０％以上の縮径率が得られることがわかる。
【００３４】
また、直管部１２を排水管２内面に接着できかつ鍔部１４の外周部を躯体１表面の防水層３に接合できるので、直管部外面１２ａと排水管２の内面とが接合されてその間の隙間を無くすことができ、防水層３の端面からその上下面への雨水の侵入を確実に防止することができる。
【００３５】
なお、本発明の範囲は上述した実施形態に限定されず、特許請求の範囲の記載によって示され、さらに特許請求の範囲の記載と均等の意味および範囲内でのすべての変更を含むものである。
【符号の説明】
【００３６】
１  躯体、２  排水管、３  防水層、
４  既設ルーフドレン、５  ドレン金物、５ａ  雌ねじ部、
６  上皿、７  ストレーナ、８  改修用ドレン、
８ａ  管部、８ｂ  鍔部、９  ドレン孔、
１０  改修用ドレン管、
１２  直管部、１２ａ  直管部外面、
１４  鍔部、１４ａ  鍔部下面、
１５  接着剤
【図１】
2014133981.tif 000003
【図２】
2014133981.tif 000004
【図３】
2014133981.tif 000005
【図４】
2014133981.tif 000006
【図５】
2014133981.tif 000007
【図６】
2014133981.tif 000008